(57)【要約】【課題】冊子の取出作業性を向上でき、また、この取出時には、冊子の処理動作を中段することなく継続でき、しかも、エレベータが押上可能な冊子量以上の集積を可能にする。【解決手段】冊子受取位置Ａから上方に向かって順次配設された予備集積部２５及び主集積部２４と、予備集積部２５及び主集積部２４の下部側にそれぞれ配設され、エレベータ２０によって搬送されてくる冊子３を受けて支持する支持フック３７，３８と、予備集積部２５の内部に設けられ、エレベータ２０によって搬送されてくる冊子３の上面部を保持してエレベータ２０とともに上昇し、主集積部２４の支持フック３７に受け渡す直前で保持を解除して予備集積部２５の外部に退避するバックアップ４０とを具備し、エレベータ２０は冊子受取位置Ａで受け取った冊子３を主集積部２４に搬送集積させたのち、予備集積部２５に搬送集積させる。【選択図】図１
2011195263.tif 000002
【特許請求の範囲】
【請求項１】
装置本体内の上部側に設けられ、冊子を供給する冊子供給部と、
この冊子供給部から供給された冊子を開かれた状態で搬送路に沿って上部側から下部側に向かって搬送する搬送手段と、
この搬送手段によって搬送される前記冊子に印刷する印刷手段と、
この印刷手段によって印刷された前記冊子を閉じる冊子閉じ手段と、
この冊子閉じ手段により閉じられて前記搬送路から搬出される冊子を冊子受取位置で受け取り、上昇することにより前記冊子を搬送するエレベータと、
前記冊子受取位置から上方に向かって順次配設された予備集積部及び主集積部と、
前記予備集積部及び主集積部の下部側にそれぞれ配設され、前記エレベータによって搬送されてくる冊子を受けて支持する支持部材と、
前記予備集積部の内部に設けられ、前記エレベータによって搬送されてくる冊子の上面部を保持して前記エレベータとともに上昇し、前記主集積部の支持部材に受け渡す直前で保持を解除して前記予備集積部の外部に退避する保持部材とを具備し、
前記エレベータは冊子受取位置で受け取った冊子を前記主集積部に搬送集積させたのち、前記予備集積部に搬送集積させることを特徴とする冊子処理装置。
【請求項２】
前記主集積部内に前記エレベータの上昇により押上げられる前記冊子の上面部を押圧保持する保持部材をさらに備えたことを特徴とする請求項１記載の冊子処理装置。
【請求項３】
前記主集積部内に冊子が満杯に集積されたとき、これを検知する満杯検知センサと、
この満杯検知センサの満杯検知に基づいて前記主集積室内の冊子の取り出しを促すメッセージを表示する表示手段をさらに備えることを特徴とする請求項１または２記載の冊子処理装置。
【請求項４】
前記主集積部内に設けられ、該主集積部内の冊子の有無を検知する有無検知センサと、
この有無検知センサによって前記冊子が無いことが検知されるのに基づいて前記予備集積部内に集積済みの冊子を前記主集積部に搬送するように前記エレベータの駆動を制御する制御手段と
をさらに備えることを特徴とする請求項１ないし３の何れかに記載の冊子処理装置。
【発明の詳細な説明】
【技術分野】
【０００１】
本発明は、例えば、銀行通帳等の冊子を作成する冊子処理装置に関する。
【背景技術】
【０００２】
この種の冊子処理装置には、その装置本体内の上部側に冊子供給部を備え、この冊子供給部から供給される冊子を開いた状態で搬送路に沿って上部側から下部側に向かって搬送し、この搬送される冊子に印刷などの処理を施したのち折り畳んで排出口から搬出するものがある。
【０００３】
この冊子処理装置では、排出口から搬出される冊子を冊子受取位置でエレベータによって受け取り、この受け取った冊子をエレベータの上昇により搬送して集積部に集積する。そして、集積部に冊子が満杯に集積された場合には、集積部から冊子を取り出させるようになっている。
【０００４】
集積部の下端部側には支持部材としての支持フックが水平な状態で上方へのみ回動自在に設けられ、この支持フックは、エレベータの上昇により搬送されてくる冊子の上面部により上方に押し上げられて回動退避し、エレベータを通過させるようになっている。そして、エレベータが通過して冊子の上面部から支持フックが外れると、支持フックは下方に回動して水平状態に復帰する。このように支持フックが水平状態に復帰したのち、エレベータが下降して支持フックを通過することによりエレベータ上の冊子を支持フック上に引っ掛けて集積させるようになっている（例えば、特許文献１参照。）。
【先行技術文献】
【特許文献】
【０００５】
【特許文献１】特開昭６１−１９７３２９号公報
【発明の概要】
【発明が解決しようとする課題】
【０００６】
ところで、エレベータ上に排出された処理済みの冊子には開き癖があり、エレベータが冊子受取位置から上昇する際に、冊子が９０度以上大きく開くと、支持フックに突き当たってジャムし集積不良の要因となる。
【０００７】
そこで、冊子受取位置から支持フックまでの距離を冊子の閉じ目部側から開かれる側の端部までの寸法よりも短くしてエレベータの上昇時に冊子が９０度以上大きく開くことのないようにしている。
【０００８】
しかしながら、冊子受取位置から支持フックまでの距離を短くすると、支持フックの位置が低くなり、冊子の集積位置が低くなる。このため、オペレータが冊子を取出す際には、低い体勢にならなければならず、作業性が悪いものとなっていた。
【０００９】
また、冊子を支持フック上に集積する際に、既に支持フック上に冊子が集積されていた場合には、エレベータはこの既に集積されている冊子を一時的に押し上げる必要がある。
【００１０】
しかしながら、エレベータの押上能力は、その駆動モータの駆動力によって決定され、その駆動力以上には、冊子の集積量を増大させることができないという問題がある。
【００１１】
また、満杯に集積された冊子を集積部から取り出す場合には、オペレータが冊子の取り出しを終了するまで集積部の上流側での冊子の処理動作を中断しなければならず、処理効率が低下するという問題があった。
【００１２】
本発明は上記事情に着目してなされたもので、その目的とするところは、集積された冊子の取出作業性を向上でき、また、この取出時において、冊子の処理動作を中段することなく継続でき、しかも、エレベータが押上可能な冊子量以上の集積を可能とする冊子処理装置を提供することにある。
【課題を解決するための手段】
【００１３】
上記の課題を解決するために、請求項１記載の本発明は、装置本体内の上部側に設けられ、冊子を供給する冊子供給部と、この冊子供給部から供給された冊子を開かれた状態で搬送路に沿って上部側から下部側に向かって搬送する搬送手段と、この搬送手段によって搬送される前記冊子に印刷する印刷手段と、この印刷手段によって印刷された前記冊子を閉じる冊子閉じ手段と、この冊子閉じ手段により閉じられて前記搬送路から搬出される冊子を冊子受取位置で受け取り、上昇することにより前記冊子を搬送するエレベータと、前記冊子受取位置から上方に向かって順次配設された予備集積部及び主集積部と、前記予備集積部及び主集積部の下部側にそれぞれ配設され、前記エレベータによって搬送されてくる冊子を受けて支持する支持部材と、前記予備集積部の内部に設けられ、前記エレベータによって搬送されてくる冊子の上面部を保持して前記エレベータとともに上昇し、前記主集積部の支持部材に受け渡す直前で保持を解除して前記予備集積部の外部に退避する保持部材とを具備し、前記エレベータは前記冊子受取位置で受け取った冊子を前記主集積部に搬送集積させたのち、前記予備集積部に搬送集積させる。
【発明の効果】
【００１４】
本発明によれば、集積された冊子の取出作業性を向上でき、また、この取出時において、冊子の処理動作を中断することなく継続でき、しかも、エレベータが押上可能な冊子量以上の集積を可能とする。
【図面の簡単な説明】
【００１５】
【図１】本発明の一実施の形態である冊子処理装置を示す概略的構成図。
【図２】図１の冊子の集積装置を示す概略的構成図。
【図３】図２の集積装置の駆動制御系を示すブロック図。
【図４】図２の冊子を載置したエレベータが予備集積部内に上昇した状態を示す図。
【図５】図４のエレベータが予備集積部内の上部側まで上昇した状態を示す図。
【図６】図５のエレベータが主集積部内に上昇した状態を示す図。
【図７】図６のエレベータが冊子受取位置まで下降した状態を示す図。
【図８】図７の主集積部内に冊子が満杯に集積されて予備集積部内に冊子が集積される状態を示す図。
【図９】図８の予備集積部内に冊子が複数冊集積された状態を示す図。
【図１０】図９の予備集積部内に冊子が満杯に集積された状態を示す図。
【発明を実施するための形態】
【００１６】
以下、本発明の実施の形態について、図面を参照して詳細に説明する。
【００１７】
図１は、本発明の一実施の形態である冊子処理装置を示す概略的構成図である。
【００１８】
冊子処理装置は装置本体１を有し、この装置本体１内の一側上部側には冊子供給部２が設けられている。この冊子供給部２内には閉じられた状態で冊子３が複数冊積層状態で収納されている。冊子供給部２内の冊子３は、その下部側から一冊ずつ取出ローラ４により取り出されて上部水平搬送路５に沿って搬送されるようになっている。上部水平搬送路５中には、冊子搬送方向に沿って順次、冊子３の固有情報を読み取るＯＣＲ部６、冊子３の特定の頁を捲る頁捲り部７が配設されている。
【００１９】
上部水平搬送路５の下方部には、傾斜する状態で傾斜搬送路９が設けられている。傾斜搬送路９には印刷手段としての印刷部１０が設けられている。印刷部１０は、外部端末１７から制御処理部１６に入力される印字情報に基づいて動作されるようになっている。
【００２０】
傾斜搬送路９の下方部には、下部水平搬送路１１が設けられている。下部水平搬送路１１には冊子搬送方向に沿って検査部１３、ＩＣ−ＲＷ部１４、冊子閉じ手段としての冊子折畳部１５が配設されている。検査部１３は冊子３に印刷された印刷内容と、外部端末１７によって入力された内容を照合して正しく印刷されたか否かを検査するものである。
【００２１】
また、下部水平搬送路１１の排出端部は排出口２１に接続され、冊子３は排出口２１を介して後で詳しく述べる集積装置１９へ排出されるようになっている。
【００２２】
集積装置１９は上記した冊子供給部２の下方部に上下方向に沿って設けられている。
【００２３】
なお、上記した上部水平搬送路５、傾斜搬送路９、及び下部水平搬送路１１にはそれぞれ所定間隔を存して搬送手段としての搬送ローラ対８が配設されている。
【００２４】
次に、上記した冊子処理装置の処理動作について説明する。
【００２５】
冊子供給部２に収納された冊子３は取出ローラ４により下部側のものから一冊ずつ取り出されて供給搬送される。この冊子３はＯＣＲ部６で冊子固有情報が読取られたのち、頁捲り部７により特定の頁が開かれる。この頁が開かれた冊子３は逆送りされて下方の傾斜搬送路９に送り込まれる。この冊子３は傾斜搬送路９に沿って搬送され、印刷部１０にて印字情報が印刷される。
【００２６】
そして、印刷された冊子３は頁が開かれたまま、下方の下部水平搬送路１１に送られて搬送され、検査部１３にて冊子に印刷された印刷内容と外部端末１７により入力された内容が照合され、一致するか否かが判別される。
【００２７】
内容が一致し問題がないと判別された冊子３のＩＣには、外部端末１７から得た情報がＩＣ−ＲＷ部１４により書込まれるとともに、ＩＣ書込みの閉塞処理が行なわれる。内容が一致せず問題があると判別された冊子のＩＣにはＩＣ−ＲＷ部１４により情報は書き込まれることなく、ＩＣの閉塞処理のみが行なわれる。
【００２８】
この処理後、冊子３は冊子折畳部１５によって折り畳まれ、排出口２１から排出される。この排出される冊子が問題のないもの場合には、集積装置１９の冊子受取位置Ａにあるエレベータ２０上に排出され、問題があるものの場合には、エレベータ２０が冊子受取位置Ａから上方に移動されることになり、エレベータ２０の下方の排除用集積部２６内に落下集積される。
【００２９】
ところで、上記した集積装置１９は、図２に示すように構成されている。
【００３０】
即ち、集積装置１９は垂直方向に沿う縦長の筐体２３を有し、この筐体２３内の下端部側には排除用集積部２６が設けられている。排除用集積部２６の上方部にはエレベータ２０が昇降自在に設けられている。エレベータ２０は排出口２１から排出される冊子３を冊子受取位置Ａで受け取るようになっている。そして、筐体２３内には冊子受取位置Ａから上方に向かって順次、予備集積部２５、主集積部２４が配設されている。
【００３１】
エレベータ２０には連結部材２８を介して駆動ベルト２９が連結され、駆動ベルト２９は筐体２３の外部に設けられたエレベータ駆動モータ３０の駆動プーリ３１と、筐体２３内の上、下部に配設された従動プーリ３２，３３との間に掛け渡されている。また、筐体２３内にはエレベータ２０の昇降をガイドするガイドレール３５が設けられている。エレベータ２０は冊子受取位置Ａと上記した予備集積部２５の下端部側の冊子受取位置Ｂとの間、或いは冊子受取位置Ａと上記した主集積部２４の下端部側の冊子受取位置Ｃとの間で昇降するようになっている。
【００３２】
予備集積部２５の冊子受取位置Ｂには、支持部材としての支持フック３８が設けられ、主集積部２４の冊子受取位置Ｃには、支持部材としての支持フック３７が設けられている。
【００３３】
支持フック３７，３８は、水平な状態から上方へのみ回動して外方に退避するように設けられている。エレベータ２０の角隅部には、支持フック３７，３８を避けるように切欠部が形成され、支持フック３７，３８を通過することができるようになっている。
【００３４】
また、主集積部２４内の下部側には、冊子３の有無を検知するための有無検知センサ４６が設けられ、上部側には満杯に集積された冊子３を検知するための満杯検知センサ４７が設けられている。さらに、主集積部２４内には、冊子３の上面部を押圧保持する保持部材としてのバックアップ３９が設けられている。
【００３５】
また、予備集積部２５内の上部側には、満杯に集積された冊子を検知するための集積満杯検知センサ４８が設けられている。さらに、予備集積部２５内には、冊子３の上面部を押圧保持する保持部材としてのバックアップ４０が設けられている。
【００３６】
このバックアップ４０はＬ字状に形成され、一端部側が予備集積部２５内に挿入され、他端部側が外部に突出されている。バックアップ４０の他端部側にはガイドローラ４２が取り付けられ、このガイドローラ４２は筐体２３の外側部に設けられたガイド体４３のガイド孔４４内に挿入されている。ガイド孔４４は垂直方向に沿ってストレート状に形成され、上部側で外方に向かって湾曲されている。
【００３７】
バックアップ４０は、エレベータ２０の上昇により押し上げられてくる冊子３の上面部を押圧保持し、エレベータ２０の上昇に伴って上昇される。この上昇によりバックアップ４０が予備集積部２５の上部側に至ると、ガイドローラ４２がガイド孔４４の上部側で外方に案内されて回動することにより押圧保持を解除して退避されるようになっている。
【００３８】
また、筐体２３には、主集積部２４及び予備集積部２５を開閉するための開閉扉５０，５１が設けられている。
【００３９】
なお、主集積部２４及び予備集積部２５は、エレベータ２０が押上可能な冊子量を集積できるだけの容量をそれぞれ有している。従って、集積装置１９は、エレベータ２０が押上可能な冊子量の２倍の冊子量を集積できるようになっている。
【００４０】
図３は、上記集積装置１９のエレベータ２０の駆動を制御する制御系を示すブロック図である。
【００４１】
上記した主集積部２４の有無検知センサ４６、満杯検知センサ４７、及び予備集積部２５内の満杯検知センサ４８は、検知回路を介して制御手段としての制御部５３に接続されている。また、制御部５３には制御回路を介してエレベータ駆動モータ３０、及び表示部５４が接続されている。
【００４２】
制御部５３は、有無検知センサ４６、満杯検知センサ４７、及び満杯検知センサ４８の検知信号に基づいてエレベータ駆動モータ３０の駆動を制御するとともに、表示部５４に冊子の取り出しを促すメッセージを表示させるようになっている。
【００４３】
次に、上記したように構成される集積装置１９の冊子集積動作について図４〜図１０に基づいて説明する。
【００４４】
処理の完了した冊子３は排出口２１から排出され、冊子受取位置Ａに位置するエレベータ２０上に載置される。こののち、エレベータ駆動モータ３０によってエレベータ２０が上昇され、その冊子３が図４に示すように予備集積部２５の支持フック３８を押し上げて回動退避させて通過する。このとき、冊子３の上面部は、バックアップ４０によって押圧保持され、開きが防止される。こののち、さらにエレベータ２０が上昇されて図５に示すように冊子３はバックアップ４０とともに上方へ搬送される。この搬送により、バックアップ４０が予備集積部２５の上部側に達して支持フック３７の近傍に至ると、ガイド体４３のガイド孔４４にガイドローラ４２がガイドされて筐体２３の外部に退避する。
【００４５】
こののち、図６に示すようにエレベータ２０はさらに上昇を続け、その冊子３の上面部により主集積部２４の支持フック３７を押し上げる。これにより支持フック３７上に支持されている冊子３とともにバックアップ３９が押し上げられる。この押し上げにより支持フック３７が上方に回動されて冊子３から外れると、下方に回動して初期位置に復帰する。
【００４６】
この復帰後、エレベータ２０は下降して支持フック３７を通過する。この通過により冊子３が支持フック３８に引っ掛けられて集積される。支持フック３７を通過したエレベータ２０は、予備集積部２５内を下降して図７に示すように、冊子受取位置Ａまで下降する。
【００４７】
以降、順次同様にしてエレベータ２０が昇降されることによりエレベータ２０上の冊子３が既に集積されている冊子３、バックアップ３９と共に支持フック３７上まで持ち上げたのち、冊子を支持フック３７に引っ掛けて集積を継続する。
【００４８】
このように冊子３が主集積部２４内に集積されて図８に示すように満杯になると、満杯検知センサ４７によって検知される。この検知があると、表示部５４に冊子の取出しを促すメッセージが表示される。
【００４９】
オペレータはこの表示を見て図９に示すように、主集積部２４の開閉扉５０を開放して冊子３を取り出す。
【００５０】
この冊子３の取出時においても、冊子３の処理は継続され、排出口２１から冊子３が排出される。この冊子３はエレベータ２０によって受け取られたのち、エレベータ２０の上昇によって上方へ搬送され、予備集積部２５の支持フック３８を押し上げて支持フック３８の上方へと移動される。このとき、冊子３は支持フック３８上に止まっているバックアップ４０によって上面部が押圧保持される。押し上げられた支持フック３８が冊子３から外れると、下方に回動して定位置に戻る。こののち、エレベータ２０が下降して支持フック３８を通過して支持フック３８上に冊子３を集積する。
【００５１】
上記した満杯になった冊子３の主集積部２４からの取り出しにより、有無検知センサ４６によって支持フック３７上に冊子がないことが検知された場合には、予備集積部２５の支持フック３８上に集積された冊子３がエレベータ２０の上昇によって持ち上げられ、主集積部２４の支持フック３７上に集積される。
【００５２】
なお、オペレータは常に主集積部２４から任意に冊子を取出すことができ、その場合も冊子の処理を止めることなく、予備集積部２５に冊子３が集積される。
【００５３】
また、冊子処理は満杯検知センサ４７及び満杯検知センサ４８が冊子の満杯を検知するまで継続できる。
【００５４】
満杯検知センサ４７及び満杯検知センサ４８が共に満杯を検知した場合、図１０に示すように開閉扉５０、開閉扉５１を開き、冊子３が排除されるまで冊子処理は再開せずに、安全性を保つ。
【００５５】
上記したように、この実施の形態によれば、エレベータ２０の冊子受取位置Ａから上方に向かって順次、予備集積部２５、主集積部２４を配設し、冊子受取位置Ａでエレベータ上に受け取った冊子３をエレベータ２０の上昇により予備集積部２５を通過させて主集積部２４に搬送して集積させ、この主集積部２４内に集積された冊子３を取り出すため、オペレータは低い姿勢をとることなく、冊子３の取出しが可能となり、取出作業性を向上できる。
【００５６】
また、エレベータ２０が予備集積部２５内を上昇する差異には、冊子３が開かないようにバックアップ４０によって冊子３を保持するため、冊子３を詰まらせることなく、良好に搬送することができる。
【００５７】
また、主集積部２４内に冊子３が満杯に集積された場合には、満杯検知センサ４７によって検知され、この検知に基づいて表示部５４に冊子の取出しを促すメッセージを表示するため、オペレータは忘れることなく、確実に冊子を取り出すことができる。
【００５８】
さらに、主集積部２４からの冊子３の取出作業時には、下部側の予備集積部２５内に冊子３を集積させるため、そのまま冊子処理を継続でき、処理効率を向上できる。
【００５９】
また、主集積部２４及び予備集積部２５内にはそれぞれ冊子３の上面部を保持するバックアップ３９，４０を設けるため、冊子の集積が安定し、かつ集積容量の増加を図ることができる。
【００６０】
また、主集積部２４及び予備集積部２５の下端部には、それぞれ冊子を支持集積するための支持フック３７，３８を設けるため、エレベータ２０が押上可能な冊子量以上の集積が可能となる。
【００６１】
なお、この発明は、上述した実施の形態そのままに限定されるものではなく、実施段階ではその要旨を逸脱しない範囲で構成要素を変形して具体化できる。
【符号の説明】
【００６２】
１…装置本体、２…冊子供給部、３…冊子、５…上部水平搬送路（搬送路）、８…搬送ローラ対（搬送手段）、９…傾斜搬送路（搬送路）、１０…印刷部（印刷手段）、１１…下部水平搬送路（搬送路）、１５…冊子折畳部（冊子閉じ手段）、２０…エレベータ、２５…予備集積部、２４…主集積部、３７，３８…支持フック（支持部材）、３９，４０…バックアップ（保持部材）、４６…有無検知センサ、４７，４８…満杯検知センサ、５３…制御部（制御手段）、５４…表示部（表示手段）、Ａ…冊子受取位置。
【図１】
2011195263.tif 000003
【図２】
2011195263.tif 000004
【図３】
2011195263.tif 000005
【図４】
2011195263.tif 000006
【図５】
2011195263.tif 000007
【図６】
2011195263.tif 000008
【図７】
2011195263.tif 000009
【図８】
2011195263.tif 000010
【図９】
2011195263.tif 000011
【図１０】
2011195263.tif 000012